(57)【要約】      （修正有）【課題】製造工程が簡単で、軽量且つ丈夫なＦＲＰ擬木看板を提供する。【解決手段】円筒状或いは角柱状に形成された中空の柱部と、該柱部の長手方向の一端部に取り付けられ、複数の設置用孔部を有する底板部からなる擬木看板であって、該看板の表示部は前記中空の柱部の任意の箇所に刻設によって形成されるか、或いは前記中空の柱部の任意の箇所に取り付けられる表示用部材で形成され、前記柱部、底板部及び前記表示用部材の表面はガラス繊維強化プラスチックにより被覆される。【選択図】図１
0003128849.tif 000002
【実用新案登録請求の範囲】
【請求項１】
円筒状或いは角柱状に形成された中空の柱部と、該柱部の長手方向の一端部に取り付けられ、複数の設置用孔部を有する底板部とからなる擬木看板であって、該看板の表示部は前記中空の柱部の任意の箇所に刻設によって形成されるか、或いは前記中空の柱部の任意の箇所に取り付けられる表示用部材に刻設されて形成され、前記柱部、底板部及び前記表示用部材の表面はガラス繊維強化プラスチックにより被覆されることを特徴とするＦＲＰ擬木看板。
【請求項２】
前記柱部、底板部及び前記表示用部材は、紙管やダンボール又はベニヤ板などから形成されることを特徴とする請求項１記載のＦＲＰ擬木看板。
【考案の詳細な説明】
【技術分野】
【０００１】
本考案は、登山道の道標や文化施設、史跡等の案内板に好適なＦＲＰ擬木看板に関するものである。
【背景技術】
【０００２】
従来の看板は、天然木を使用して案内の文字や記号等を塗料等によってその表面に表示するものや、プラスチックの成形体や石材を加工してその表面に刻設或いは印刷によって案内の文字や記号等を形成したものであった。
【０００３】
しかしながら、上記天然木の看板は、価格は安いものの腐食しやすく、また文字等の欠落が生じる虞があった。またプラスチックの成形体や石材は、長期間の使用には適するものの、製造に手間が掛かり高価格なものであった。
【０００４】
そこで、石材に代わってコンクリートを用いた擬木看板も使用されているが、長期間の使用には適するものの、価格はさほど安価とはいえず、しかも重量が重いため運搬や施工に作業者に多大の負担が係るという問題点があった。
【０００５】
これら問題点を解決するため、内角が直角なＶ溝形状の成形型を用いて四角柱形状をした原木の２表面を写し取った成形品と、同様にして前記原木の残り２表面を写し取った成形品とを張り合わせて中空角柱状とした標柱で、表面に塩ビフィルムを貼り付け、該塩ビフィルムの保護膜として合成接着剤と水性アクリル系とを混合した溶剤でコーティングし、さらに強化プラスチックで被覆した標柱が提案されている（特許文献１参照。）。また樹脂発泡体からなる層と、繊維強化プラスチックからなる層と、その表面に所望の絵柄又は文字等が表された特殊粘着フィルム製品類からなる層とが順次積層されている掲示広告板とこの掲示広告板の両側辺を支持する柱体とから構成される掲示広告体もある（特許文献２参照。）。
【０００６】
【特許文献１】実用新案登録３０６３４５５号公報
【特許文献２】特開２０００−２０００５７号公報
【考案の開示】
【考案が解決しようとする課題】
【０００７】
しかし、上記の特許文献１に記載されている標柱は、ＦＲＰなどの強化プラスチックで原木の表面を写し取った成形品を張り合わせて四角柱状にした中空の標柱であり、天然木と異なり腐食することなく、また石材と比較し軽量であるという特徴があるが、製造工程が複雑であり、また製造時に強化プラスチックの廃棄物を多量に生じるという問題点がある。
【０００８】
また、上記の特許文献２に記載されている掲示広告板及び掲示広告体は、広告板を構成する素材として、樹脂発泡体或いはハニカム構造体からなる層を必要とし、さらに複数の異なるフィルム層を積層する必要があり、製造工程が複雑であるばかりか、高価であるという問題点がある。
【０００９】
本考案は、上記問題点に鑑みなされたものであり、製造工程が簡単で、高価な材料を使用せずまた製造時に不用な廃棄物を生じない、軽量で且つ丈夫なＦＲＰ擬木看板を提供することを目的とするものである。
【課題を解決するための手段】
【００１０】
このため本考案は、円筒状或いは角柱状に形成された中空の柱部と、該柱部の長手方向の一端部に取り付けられ、複数の設置用孔部を有する底板部とからなる擬木看板であって、該看板の表示部は前記中空の柱部の任意の箇所に刻設によって形成されるか、或いは前記中空の柱部の任意の箇所に取り付けられる表示用部材に刻設されて形成され、前記柱部、底板部及び前記表示用部材の表面はガラス繊維強化プラスチックにより被覆されることを第１の特徴とする。
【００１１】
また、前記柱部、底板部及び前記表示用部材は、紙管やダンボール又はベニヤ板などから形成されることを第２の特徴とする。
【考案の効果】
【００１２】
本考案のＦＲＰ擬木看板は、以上のように構成されているので次のような優れた効果を有する。
（１）中空の柱部、底板部及び表示用部材が紙管やダンボール又はベニヤ板などから形成され、さらにガラス繊維強化プラスチックにて被覆されているため、軽量でしかも十分な強度を有しており、輸送や設置が容易であると共に長期間の使用であっても表示用部材に表示された文字等が欠落しないという効果がある。
（２）紙管やダンボール又はベニヤ板などの安価な材料を使用してＦＲＰ擬木看板が作られているため、低コストで製造できるという効果があり、しかも天然の木材を使用せず、またＦＲＰ廃棄物を出さないため環境保護に貢献できるという優れた効果がある。
（３）底板部に形成された設置用孔部に、鉄杭等を挿通して固定することができるため、擬木看板を埋設して設置する際に、地面を深く堀る必要もなく作業が容易であるという優れた効果がある。
【考案を実施するための最良の形態】
【００１３】
以下、本考案の実施の形態を、図面に示す実施例に基づいて説明するが、本考案が本実施例に限定されないことは言うまでもない。図１は、本考案に係るＦＲＰ擬木看板の一実施例を示す斜視図、図２は図１の正面断面図である。
【実施例】
【００１４】
図１、図２に示すように、本考案のＦＲＰ擬木看板１は略円筒状に形成された紙管７からなる中空の柱部２と、柱部２の長手方向一端部に取り付けられたベニヤ板からなる矩形の底板部３と、柱部２の任意の位置にボルト６にて取り付けられた表示用部材５とで構成され、この柱部２、底板部３及び表示用部材５の表面は後述するガラス繊維強化プラスチック（ＦＲＰ）８によって被覆されている。また、ＦＲＰ擬木看板１の表面全面には設置される場所に応じて適宜な色で塗装される。
【００１５】
底板部３は、矩形の四隅に設置用の孔４が穿設され、鉄杭（図示せず）等によって固定可能とされる。また表示用部材５の表面には各種の案内用文字９が刻設され、さらに塗料等によって着色されている。
【００１６】
上記の構成からなる本考案のＦＲＰ擬木看板１は、柱部２・表示用部材５・底板部３の素材として軽量な紙菅やベニヤ板等を使用し、さらに表面全面にＦＲＰを使用して被覆しているため非常に軽量且つ丈夫であるため長期間の使用に耐える。また、底板部３に設けられた設置用の孔４を使用して鉄杭等を差込んで設置することが可能であり、ＦＲＰ擬木看板１を土の中に埋めて設置する際に、深く穴を掘る作業を必要としない。
【００１７】
次に、図１及び２を参考として本考案のＦＲＰ擬木看板の製造工程を説明する。
【００１８】
図１、２に示すように、まず柱部２の素材である紙菅７の一端部と、底板部３の素材であるベニヤ板１０を接着剤にて接着する。この際紙菅７の他端部にも紙菅８と同径のベニヤ板と取付けてもかまわない。次に紙菅８と底板部３の表面にガラス繊維（図示せず）を巻き付け、さらにポリエステル樹脂等を塗布して硬化させＦＲＰ８被覆面とし、この被覆面全面を塗料によって着色する。表示用部材５はダンボール若しくはベニヤ板を用い、所定の大きさの矩形に成形し、その表面に上記柱部２と同様にガラス繊維を巻き付け、さらにポリエステル樹脂等を塗布して硬化させＦＲＰ８被覆面とする。そして、案内用文字９をサンドブラストによって刻設し、塗料によって表示用部材５全面に着色した後表示文字９の着色を行なう。この際表示用部材５全面の着色に使用する塗料の色は柱部８と同色とし、看板を設置する周囲の景観に適したものが採用され、案内用文字９も視認し易い色が選択されて使用される。
【００１９】
上記の構成で作られた柱部２に表示用部材５をボルト６によって取付けると共に、底板部３の四隅に設置用の孔４を穿設してＦＲＰ擬木看板１が形成される。
【００２０】
以上、本考案によるＦＲＰ擬木看板によれば、紙管やダンボール又はベニヤ板などの安価な材料を使用しているため、低コストで製造できると同時にＦＲＰにて被覆されているため、軽量でしかも十分な強度を有しており、輸送や設置が容易であると共に長期間の使用であっても表示用部材に表示された文字等が欠落しない。しかも天然の木材を使用せずまたＦＲＰ廃棄物を出さないため環境保護に貢献できる。
【図面の簡単な説明】
【００２１】
【図１】本考案に係るＦＲＰ擬木看板の一実施例を示す斜視図である。
【図２】図１の正面断面図である。
【符号の説明】
【００２２】
１          ＦＲＰ擬木看板
２          柱部
３          底板部
４          孔
５          表示用部材
６          ボルト
７          紙菅
８          ＦＲＰ
９          案内用文字
１０          ベニヤ板
【図１】
0003128849.tif 000003
【図２】
0003128849.tif 000004